(57)【要約】【課題】  プリプレグを皺寄りなくかつ折れ曲りなくマンドレルに巻回して焼成後にボイド等の発生を抑制できる竿体構造を提供する点にある。【解決手段】  内外側層を、強化繊維ｃを円周方向に配置したプリプレグを細幅のテープ状に裁断したスリットテープ１を竿の全長に亘って螺旋状に巻回することによって構成するとともに、内側層のさらに内側で竿先端部に口巻き補強パターン５を配置するとともに、外側層のさらに外側で竿尻端部に竿尻補強パターン６を配置してある。それらの補強パターン５、６を、竿軸線Ｘに対して所定の傾斜角θに沿って引き揃え配置された強化繊維ｃ群を有するプリプレグと、プリプレグの強化繊維ｃ群と竿軸線Ｘに対して対称となる状態に引き揃え配置された強化繊維ｃ群を有するプリプレグとを重ね合わせて構成してある。【選択図】        図１
2006320235.tif 000002
【特許請求の範囲】
【請求項１】
強化繊維群を竿の円周方向に沿って引き揃えたプリプレグ製のスリットテープを竿体の全長に相当する長さに亘ってマンドレルに螺旋状に巻回して内側層と外側層とを、夫々、構成し、前記内側層と前記外側層との間に位置する中間層を、竿の軸線方向に沿って強化繊維を引き揃えたプリプレグを竿体の全長に相当する長さに裁断したメインパターンで構成し、
前記内側層の竿先端部よりも更に内側に口巻き用補強パターンを配置し、前記口巻き用補強パターンを、前記メインパターンよりも軸線方向に沿った長さが短くかつ強化繊維群を竿軸線に対して第４傾斜角に沿って引き揃え配置したプリプレグと、前記メインパターンよりも軸線方向に沿った長さが短くかつ強化繊維群を前記プリプレグの強化繊維群と前記竿軸線に対して対称となる状態に引き揃え配置したプリプレグとを重ね合わせて構成し、
前記外側層の竿尻端部の外側に竿尻補強パターンを配置し、前記竿尻補強パターンを、前記メインパターンよりも軸線方向に沿った長さが短くかつ強化繊維群を竿軸線に対して第３傾斜角に沿って引き揃え配置したプリプレグと、前記メインパターンよりも軸線方向に沿った長さが短くかつ強化繊維群を前記プリプレグの強化繊維群と前記竿軸線に対して対称となる状態に引き揃え配置したプリプレグとを重ね合わせて構成してある釣り竿用の竿体。
【請求項２】
前記中間層を、竿の軸線方向に沿って強化繊維を引き揃えたプリプレグを竿体の全長に相当する長さに裁断した第１メインパターンと、竿の軸線方向に沿って強化繊維を引き揃えたプリプレグを竿体の全長に相当する長さに裁断した第２メインパターンとを重合させた状態で構成してある請求項１記載の釣り竿用の竿体。
【請求項３】
前記中間層と前記外側層との間で前記中間層の竿尻端部の外側に中間竿尻補強パターンを配置し、前記中間竿尻補強パターンを、竿軸線に対して第２傾斜角に沿って引き揃え配置された強化繊維群を有し前記メインパターンよりも軸線方向に沿った長さが短いプリプレグと、前記プリプレグの強化繊維群と前記竿軸線に対して対称となる状態に引き揃え配置された強化繊維群を有し前記メインパターンよりも軸線方向に沿った長さが短いプリプレグとを重ね合わせて構成してある請求項１又は２記載の釣り竿用の竿体。
【請求項４】
前記内側層の竿尻端部の内側に内側竿尻補強パターンを配置し、前記内側竿尻補強パターンを、前記メインパターンよりも軸線方向に沿った長さが短くかつ強化繊維群を竿軸線に対して第１傾斜角に沿って引き揃え配置してあるプリプレグと、前記メインパターンよりも軸線方向に沿った長さが短くかつ強化繊維群を前記プリプレグの強化繊維群と前記竿軸線に対して対称となる状態に引き揃え配置してあるプリプレグとを重ね合わせて構成してある請求項１〜３のうちのいずれか一つに記載の釣り竿用の竿体。
【発明の詳細な説明】
【技術分野】
【０００１】
本発明は、プリプレグを巻回して筒状体に形成してある釣り竿用の竿体に関する。
【背景技術】
【０００２】
釣り竿用の竿体は、炭素繊維等の強化繊維を引き揃え、その引き揃え強化繊維にエポキシ等の樹脂を含浸させて形成したプリプレグシートを、所定のテーパ形状をしたマンドレルに巻き付けて巻回し、その巻回した筒状のものを焼成して形成されるのが、一般的である。
このようにプリプレグシートを利用して竿体を形成するものに対して、強化繊維を円周方向に引き揃え熱硬化性樹脂を含浸させたプリプレグを細幅のテープ状に裁断してスリットテープを作成し、このスリットテープを竿体の全長に亘る範囲で螺旋状に巻回して、竿体を形成するものもある。
【０００３】
【特許文献１】特開２０００−１９８１５４号（段落番号〔００２０〕及び、図１、図２）
【発明の開示】
【発明が解決しようとする課題】
【０００４】
上記した従来構成は、内側層として、強化繊維群を竿の円周方向に沿って引き揃えたプリプレグをシート状に裁断して構成した第１メインパターンを巻回して構成し、中間層として、強化繊維群を竿の軸線方向に沿って引き揃えたプリプレグをシート状に裁断して構成した３枚のメインパターンを巻回して構成し、外側層として、強化繊維群を円周方向に引き揃えたプリプレグをテープ状に裁断して構成したスリットテープを竿体の全長に相当する長さに亘って螺旋状に巻回して構成し、これら、内側層、中間層、外側層によって、釣り竿を構成するものがあった。
しかし、このものでは、強化繊維の方向が軸線方向、或いは、円周方向にのみ配置されているだけであるので、これらの竿体を振出竿に形成した場合に、合わせ部において強度不足を生じることがあった。
つまり、振出竿では、竿先側竿体を竿尻側竿体より引き出した状態で、竿先側竿体の竿尻端部の外周面を竿尻側竿体の竿先端部の内周面に圧接させて、竿先側竿体の伸長状態を維持する構成を採っている。この場合に、互いに圧接状態となる竿先側竿体の竿尻端部の外周面を竿尻側竿体の竿先端部の内周面とを合わせ部と称する。
ここに、合わせ部が、その合わせ部に配置された強化繊維が軸芯方向、或いは、円周方向のみに配置されているだけのプリプレグで形成されている場合には、竿の軸線方向に対して傾斜する方向から作用する剪断力に対して十分な強度を発揮できない場合があり、合わせ部での樹脂の剥離や、割れ、亀裂の発生が見られることがあった。
【０００５】
本発明の目的は、上記欠点を解消し、竿体の外周面が所定の円錐状を呈することのできる釣り竿を提供する点にある。
【課題を解決するための手段】
【０００６】
〔構成〕
請求項１に係る発明の特徴構成は、強化繊維群を竿の円周方向に沿って引き揃えたプリプレグ製のスリットテープを竿体の全長に相当する長さに亘ってマンドレルに螺旋状に巻回して内側層と外側層とを、夫々、構成し、前記内側層と前記外側層との間に位置する中間層を、竿の軸線方向に沿って強化繊維を引き揃えたプリプレグを竿体の全長に相当する長さに裁断したメインパターンで構成し、
前記内側層の竿先端部よりも更に内側に口巻き用補強パターンを配置し、前記口巻き用補強パターンを、前記メインパターンよりも軸線方向に沿った長さが短くかつ強化繊維群を竿軸線に対して第４傾斜角に沿って引き揃え配置したプリプレグと、前記メインパターンよりも軸線方向に沿った長さが短くかつ強化繊維群を前記プリプレグの強化繊維群と前記竿軸線に対して対称となる状態に引き揃え配置したプリプレグとを重ね合わせて構成し、
前記外側層の竿尻端部の外側に竿尻補強パターンを配置し、前記竿尻補強パターンを、前記メインパターンよりも軸線方向に沿った長さが短くかつ強化繊維群を竿軸線に対して第３傾斜角に沿って引き揃え配置したプリプレグと、前記メインパターンよりも軸線方向に沿った長さが短くかつ強化繊維群を前記プリプレグの強化繊維群と前記竿軸線に対して対称となる状態に引き揃え配置したプリプレグとを重ね合わせて構成してある点にあり、その作用効果は次の通りである。
【０００７】
〔作用〕
つまり、メインパターンよりも軸線方向に沿った長さが短くかつ強化繊維群を竿軸線に対して傾斜する状態に引き揃え配置したプリプレグと、前記メインパターンよりも軸線方向に沿った長さが短くかつ強化繊維群を前記プリプレグの強化繊維群と前記竿軸線に対して対称となる状態に引き揃え配置したプリプレグとを重ね合わせて構成した口巻き補強パターンと竿尻補強パターンとを、竿体の竿先端部と竿尻端部とに配してあるので、両補強パターンが竿先側竿体を竿尻側竿体より引き出した状態で、竿の軸線に傾斜する状態で作用する剪断力に対して対抗力を発揮するものとなり、合わせ部における樹脂の剥離現象等を抑制できる。
これに加えて、本願発明においては、強化繊維群を円周方向に配置し、竿軸線方向に対する幅を狭くしたスリットテープを内外側層として施すことによって、テープに対して十分な緊張力を付与してマンドレルにそのスリットテープを巻回することができるとともに、スリットテープを構成する強化繊維は、竿体の竿先端から竿尻端まで螺旋状に連続するものとすることができるので、繊維の強度が十分に発揮され、また、テープ自体は細幅であるので、プリプレグシートを巻回する場合に比べて皺よりなく巻回することができる。
しかも、この円周方向に繊維を配置してあるので、竿体の断面が横広がりの楕円状に変形しようとするのを、円周方向に引き揃えられた強化繊維が対抗力を発揮し、竿体の断面の保形性を良好にする。
一方、中間層として竿軸線に沿って強化繊維を引き揃えているプリプレグシートからなるメインパターンを前記したスリットテープの上から巻回してあるので、穂先に作用した下向きの荷重によって、竿に作用する曲げモーメントに起因する竿軸線方向に沿った引張力等に対する対抗力を高めてあり、曲げによる竿の折れ等を未然に回避できる。
以上のように、スリットテープが竿の軸線方向に沿った幅を短いものにしてあるので、シート状のプリプレグのように全長に亘って均一に巻付けていくのが難しくはなく、そのようなテープ特性を利用して、内側層を構築することができる。
【０００８】
〔効果〕
この結果、所期の円錐状に沿った釣り竿を作成することができ、ボイドの発生や樹脂の剥離等も抑制できる竿を提供できるに至った。
【０００９】
請求項２に係る発明の特徴構成は、前記中間層を、竿の軸線方向に沿って強化繊維を引き揃えたプリプレグを竿体の全長に相当する長さに裁断した第1メインパターンと、竿の軸線方向に沿って強化繊維を引き揃えたプリプレグを竿体の全長に相当する長さに裁断した第２メインパターンとを重合させた状態で構成してある点にあり、その作用効果は次の通りである。
【００１０】
〔作用効果〕
請求項１に係る発明に対する作用効果を奏するとともに、次ぎのような作用効果を奏する。
つまり、中間層として二枚重ねのメインパターンを配置し、そのメインパターンの強化繊維の引き揃え方向を竿軸線方向に沿って配置してあるので、魚が針に掛かった場合に釣り竿に作用する曲げモーメントによって竿軸線方向に沿った引張力が発生するが、その引張力に対して、前記した竿軸線方向に配置した強化繊維が対抗力を発揮して竿の破損等を阻止する際に、二枚のプリプレグで対応できるので、より対抗力を大きくできるとともに、曲げモーメントに対する断面二次モーメントを大きくすることができ、曲げに対する強度も向上させることができる。
【００１１】
請求項３に係る発明の特徴構成は、前記中間層と前記外側層との間で前記中間層の竿尻端部の外側に中間竿尻補強パターンを配置し、前記中間竿尻補強パターンを、竿軸線に対して第２傾斜角に沿って引き揃え配置された強化繊維群を有し前記メインパターンよりも軸線方向に沿った長さが短いプリプレグと、前記プリプレグの強化繊維群と前記竿軸線に対して対称となる状態に引き揃え配置された強化繊維群を有し前記メインパターンよりも軸線方向に沿った長さが短いプリプレグとを重ね合わせて構成してある点にあり、その作用効果は次の通りである。
【００１２】
〔作用効果〕
つまり、外側層の内側にも中間竿尻補強パターンを配置してあるので、外側層の竿尻端部から伝播する剪断力に対してその中間竿尻補強パターンの軸線方向に対して傾斜する方向に引き揃えられた強化繊維が対抗力を発揮する為に、強化繊維の剥離や樹脂のヘタリ等を阻止することができる。
【００１３】
請求項４に係る発明の特徴構成は、前記内側層の竿尻端部の内側に内側竿尻補強パターンを配置し、前記内側竿尻補強パターンを、前記メインパターンよりも軸線方向に沿った長さが短くかつ強化繊維群を竿軸線に対して第１傾斜角に沿って引き揃え配置してあるプリプレグと、前記メインパターンよりも軸線方向に沿った長さが短くかつ強化繊維群を前記プリプレグの強化繊維群と前記竿軸線に対して対称となる状態に引き揃え配置してあるプリプレグとを重ね合わせて構成してある点にあり、その作用効果は次の通りである。
【００１４】
〔作用効果〕
このように、竿体の竿尻端部位置において内側層の更に内側にも内側竿尻補強パターンを設けたので、竿体の竿尻端部位置には、内側竿尻補強パターン、中間竿尻補強パターン、外側竿尻補強パターンを配置することになる。したがって、相手側圧接面に接触する外側面だけでなく、各層毎に補強パターンを設けることができたので、剪断力に対する対抗力を高めることができ、竿の変形等を有効に阻止できる。
【発明を実施するための最良の形態】
【００１５】
〔第１実施形態〕
釣り竿を構成する竿体について説明する。図１及び図２に示すように、釣り竿用の竿体Ａは、プリプレグを巻回して構成した内側層Ａａ、中間層Ａｂ、外側層Ａｃを配した、３層構造に構成されている。
【００１６】
竿体Ａの製造方法について説明する。図１に示すように、第1段として、マンドレル４に口巻き補強パターン５を巻回するとともに、マンドレル４に巻回した口巻き補強パターン５の上から内側層Ａａとしての第１スリットテープ１を巻回する。第２段として、巻回された第１スリットテープ１の上から中間層Ａｂとして第1メインパターン２Ａと第２メインパターン２Ｂとを重ねて巻回し、さらに、第３段として第２メインパターン２Ｂの上から外側層Ａｃとしての第２スリットテープ３を巻回し、第２スリットテープ３の上から竿尻補強パターン６を巻回するようにしてある。
【００１７】
竿尻補強パターン６を巻回した後には、図示してはいないが、セロファンテープ等の成形テープを竿体の全長に亘って螺旋状に巻回して巻締め、その後焼成して成形テープを剥離し所定長さに裁断して円錐台状の竿素材を形成し、センタレス研磨機等で前記竿素材の外周面を所定のテーパ形状となるように、かつ、合わせ部を所定寸法に仕上加工を施して竿体とする。
【００１８】
前記したメインパターン、及び、補強パターンとして使用されるプリプレグは次ぎのように構成されている。プリプレグとしては、強化繊維ｃとして炭素繊維を使用し、強化繊維ｃに含浸させる熱硬化性樹脂としてエポキシ樹脂が使用される。但し、強化繊維ｃとしては、ガラス繊維及びボロン繊維等が使用でき、熱硬化性樹脂としてはフェノール樹脂等が使用可能である。含浸させる樹脂としては、熱可塑性樹脂も使用できる。また、それらプリプレグの強化繊維ｃとしては、炭素繊維でメインパターンに２０〜６０トン／ｍｍ2の弾性率のもの、補強パターンに１０〜２０トン／ｍｍ2の弾性率のものを使用することになる。
【００１９】
口巻き補強パターン５について説明する。図１及び図３に示すように、口巻き補強パターン５は、竿軸線Ｘに対して第４傾斜角θ4に沿って引き揃え配置された炭素繊維等の強化繊維ｃ群にエポキシ等の熱硬化性樹脂を含浸させて形成したプリプレグと、前記プリプレグの強化繊維ｃ群と前記竿軸線Ｘに対して対称となる状態に引き揃え配置された強化繊維ｃ群にエポキシ等の熱硬化性樹脂を含浸させて形成したプリプレグを重ね合わせ、竿体の竿先端部の軸線方向長さに相当する長さに裁断して構成してある。
【００２０】
内側層Ａａとしての第１スリットテープ１について説明する。図１及び図３に示すように、第１スリットテープ１は、炭素繊維等の強化繊維ｃを円周方向に引き揃えたものにエポキシ等の熱硬化性樹脂を含浸させて形成したプリプレグを、竿の軸線方向に沿った幅を細幅（５ｍｍ〜１０ｍｍ位）に裁断してテープ状に繋げたものである。この第１スリットテープ１を口巻き補強パターン５を巻回したマンドレル４の略全長に亘って螺旋状に巻回して、内側層Ａａを形成する。
【００２１】
次に、中間層Ａｂについて説明する。中間層Ａｂを構成する第１メインパターン２Ａと第２メインパターン２Ｂとは、強化繊維ｃを軸線方向に沿って引き揃えたプリプレグを竿体の略全長に相当する長さでかつ１プライから２プライの長さに相当する幅を有するものに裁断されている。この二枚のメインパターン２Ａ、２Ｂを順番に第１スリットテープ１の上から巻回することによって、中間層Ａｂを形成する。
【００２２】
外側層Ａｃとしての第２スリットテープ３について説明する。図１（ニ）に示すように、第２スリットテープ３は、炭素繊維等の強化繊維ｃを円周方向に引き揃えたものにエポキシ等の熱硬化性樹脂を含浸させて形成したプリプレグを、竿の軸線方向に沿った幅を細幅（５ｍｍ〜１０ｍｍ位）に裁断して繋げたものである。この第２スリットテープ３を、第２メインパターン２Ｂを巻回したマンドレル４の略全長に亘って螺旋状に巻回して、外側層Ａｃを形成する。
【００２３】
竿尻補強パターンとしての第３竿尻補強パターン６について説明する。第３竿尻補強パターン６は、竿軸線Ｘに対して第３傾斜角θ3に沿って引き揃え配置された炭素繊維等からなる強化繊維ｃ群にエポキシ等の熱硬化性樹脂を含浸させて形成したプリプレグと、前記プリプレグの強化繊維ｃ群と前記竿軸線Ｘに対して対称となる状態に引き揃え配置された強化繊維ｃ群にエポキシ等の熱硬化性樹脂を含浸させて形成したプリプレグとを重ね合わせ、竿体の竿尻端部の軸線方向長さに相当する長さに裁断されて構成してある。
以上記載したように、各パターンを順次マンドレル４に巻回することによって、竿体Ａを構成する。また、各補強パターンにおける強化繊維の傾斜角θは、０°から９０°の範囲で設定できるものであるが、望ましくは、４５°から８０°の範囲に設定するのがよい。さらに、第１傾斜角θ1〜第４傾斜角θ4までの傾斜角を同一角に設定してもよく、各傾斜角を異なる角度に設定してもよい。
【００２４】
〔第２実施形態〕
竿体Ａの製造方法について説明する。図示はしていないが、第1実施形態において、第２段として、第1、第２メインパターン２Ａ、２Ｂを重ね巻きしたものを示したが、この第２実施形態においては、中間層Ａｂとして第1メインパターン２Ａのみを巻回するものでもよい。これ以外の内側層Ａａ、外側層Ａｃ、口巻き補強パターン５、竿尻補強パターン６は同一である。
【００２５】
つまり、この第２実施形態においては、中間層Ａｂとして第１メインパターン２Ａのみを施すことにしてある。これによって、中間層Ａｂでの引張力に対する対抗力は低下するものとなるが、その代わりに竿の軽量化が図れることになる。この場合には、第１実施形態で示した竿に比べて小型の魚を対象としたやや小振りの竿に利用できる。
【００２６】
〔第３実施形態〕
竿体Ａの製造方法について説明する。図３に示すように、第1段として、マンドレル４に口巻き補強パターン５と第１竿尻補強パターン７とを巻回するとともに、マンドレル４に巻回した前記口巻き補強パターン５及び第１竿尻補強パターン７の上から内側層Ａａとしての第１スリットテープ１を巻回する。第２段として、巻回された第１スリットテープ１の上から中間層Ａｂとして第1メインパターン２Ａと第２メインパターン２Ｂとを重ねて巻回する。第２メインパターン２Ｂの上から第２竿尻補強パターン８を巻回する。さらに、第３段として第２メインパターン２Ｂ及び第２竿尻補強パターン８の上から外側層としての第２スリットテープ３を巻回し、第２スリットテープ３の上から第３竿尻補強パターン６を巻回するようにしてある。
【００２７】
つまり、この第３実施形態においては、竿尻補強パターンとして、第１竿尻補強パターン７を第１スリットテープ１の内側に配置するとともに、第２竿尻補強パターン８を第２メインパターン２Ｂの外側に配置する点が第１実施形態と異なる。
これによって、竿尻補強パターンを各層毎に設けることとなるので、相手側圧接面に接触する外側面だけでなく、各層毎に補強パターンを設けることができ、剪断力に対する対抗力を高めることができて、竿の変形等を有効に阻止できる。したがって、この第３実施形態が適用される竿としては、第２実施形態のものに比べて大型の魚を釣り上げる際に適用可能であり、比較的大きな荷重が作用しても合わせ部Ｂにおいて３つの竿尻補強パターンが剪断力に対して対抗力を発揮し、合わせ部Ｂでの変形等を抑制することができる。
【００２８】
尚、この第３実施形態において、第２竿尻補強パターン８を第２メインパターン２Ｂの上に施す形態を示したが、第２竿尻補強パターン８を設ける位置としては、第１メインパターン２Ａと第２メインパターン２Ｂの間でもよく、また、第１メインパターン２Ａの内側であってもよい。また、上記した、第１メインパターン２Ａの内側、第１メインパターン２Ａと第２メインパターン２Ｂとの間、第２メインパターン２Ｂの外側の３箇所に設けてもよい。
【００２９】
〔別実施構造〕
（１）  第３竿尻補強パターン６の構成としては、次ぎのようなものでもよい。
つまり、前記した第３竿尻補強パターン６としては、強化繊維ｃ群を竿軸線Ｘに対して傾斜させて形成したプリプレグをその強化繊維ｃ群が互いに交差する状態となるように重ね合わせた重合体６Ａを使用していた。
【００３０】
これに対して本別実施形態では、前記した重合体６Ａを巻回した後に、図４に示すように、その重合体６Ａの上から樹脂の突起９を複数個設ける構成を採ることとする。この樹脂の突起９を形成する方法は図示してはないが、樹脂の突起９を形成する重合体６Ａの表面に、多数の貫通孔を形成したマスク部材を被せ、そのマスク部材の上から突起形成塗料を、吹き付け塗装方法を用いて吹き付けることによって、マスク部材の貫通孔を通して塗料を重合体６Ａの表面に付着させて、突起９を形成する。突起９の形成部位は、竿先側竿体を竿尻側竿体より引き出した状態で竿尻側竿体の竿先端より突出しない奥側に形成してあるので、美観を損なうことが少ない。
このように突起９を形成することによって、竿先側竿体の竿尻端部の表面が竿尻側竿体の竿先端部の内周面に全面的に密着することがなく、突起９同士の間に隙間が形成されることによって、この隙間部分に水分を保留することができる。
【００３１】
したがって、竿先側竿体の竿尻端部の表面が竿尻側竿体の竿先端部の内周面に全面的に密着する場合のように、その密着部位に水分が入り込んでその水分が介在することによって密着度がより強力になる、固着現象が起こることがある。この固着現象が起こることによって、一旦引き出した竿先側竿体を竿尻側竿体内に戻すことができない状態になるが、ここでは突起９を形成することにしたので、突起９のみが竿尻側竿体の竿先端部の内周面に当接することによって、全面接着状態とはならず、水分も隣接する突起９の間に介在することになり、竿先側竿体の竿尻端部の表面が竿尻側竿体の竿先端部の内周面との密着度を高める方向には作用しない。
尚、突起９を第３竿尻補強パターン６に代えて単独で形成するようにしてもよい。
【００３２】
（２）第３竿尻補強パターン６の構成としては、次ぎのようなものでもよい。
つまり、前記した第３竿尻補強パターン６としては、強化繊維ｃを竿軸線Ｘに対して傾斜させて形成したプリプレグをその強化繊維ｃが互いに交差する状態となるように重ね合わせた重合体６Ａを使用していた。この重合体６Ａとともに、次ぎのような補助パターン６Ｂを重ね合わせて使用するようにしてもよい。
【００３３】
つまり、図５（ハ）に示すように、補助パターン６Ｂは、炭素繊維等の強化繊維ｃを円周方向に引き揃えたものにエポキシ等の熱硬化性樹脂を含浸させて形成したプリプレグ６ａに、ナイロンやポリエステル等の柔軟性の高い繊維ｃをクロス組したものにエポキシ等の熱硬化性樹脂を含浸させて形成したプリプレグ６ｂを重ね合わせ、炭素繊維等を円周方向に引き揃えたプリプレグ６ａが内側となるように、重合体６Ａの上から巻回する。
図６に示すように、補助パターン６Ｂの軸線方向に沿った長さは重合体６Ａよりは短く、重合体６Ａの竿先側に位置するように補助パターン６Ｂを巻回する。
【００３４】
ここに、重合体６Ａと補助パターン６Ｂとの配置状態について説明する。つまり、内側に位置する重合体６Ａは、合わせ部Ｂの長さに相当する長さで配置される。これに対して、補助パターン６Ｂについては、重合体６Ａより短く、かつ、竿先側に寄った位置に配置されている。このように、重合体６Ａを合わせ部Ｂに相当する長さで設置していても、合わせ部Ｂの長さよりも短くしてあるので、竿先側竿体１を竿尻側竿体２より引き出し操作した場合に、重合体６Ａと補助パターン６Ｂの竿先端が竿尻側竿体２の竿先端よりは突出することはなく、美観の向上を図ることができる。
しかも、重合体６Ａを合わせ部Ｂの竿先側の肩部分に設けてあるので、この部分の強度を向上させることができ、竿先側竿体１の合わせ部Ｂにおける竿先側端近傍に発生する「際折れ」と言われている竿の折損を回避できる。
【００３５】
補助パターン６Ｂにおける竿体の表側に位置するプリプレグ６ｂについて詳述すると、図５（イ）に示すように、プリプレグ６ｂでは柔軟性の高い繊維ｃをクロス網して、繊維ｃを亀の子状に配置する形状を呈している。図５（ロ）に示すように、繊維ｃに含浸させた樹脂は研磨加工を施して削り取っているので、繊維だけが表面に表出した状態となっており、亀の子状の凹部が形成されている。ここで使用されている柔軟性の高い繊維としては、ナイロン、ポリエステル等の樹脂繊維を使用している。
したがって、このプリプレグ６ｂが合わせ部Ｂの表面に位置して、相手側の合わせ部Ｂを構成するプリプレグと圧接する状態となっても、亀の子状の凹部の存在によって、水分が介在しても水分は亀の子状の凹部に溜まるだけで圧接状態を強化する方向には作用せず、合わせ部の固着状態が緩和される。
（３）  本発明の構成は、振出竿式の渓流竿、鮎竿等だけでなく、並継式、又は、インロー継ぎ式釣り竿にも適用可能である。
【図面の簡単な説明】
【００３６】
【図１】（イ）は口巻き補強パターンを巻回する前の状態を示す斜視図、（ロ）は第１スリットテープを巻回している状態を示す斜視図、（ハ）は第１、第２メインパターンを巻回する前の状態を示す斜視図、（ニ）は第２スリットテープを巻回している状態を示す斜視図
【図２】竿尻端部に竿尻補強パターンを施して小径側の竿体を引き出した状態を示す縦断側面図
【図３】（イ）は口巻き補強パターンと第１竿尻補強パターンを巻回する前の状態を示す斜視図、（ロ）は第１スリットテープを巻回している状態を示す斜視図、（ハ）は第１、第２メインパターンと第２竿尻補強パターンとを巻回する前の状態を示す斜視図、（ニ）は第２スリットテープを巻回している状態を示す斜視図
【図４】竿尻端部に樹脂突起を施して小径側の竿体を引き出し状態を示す縦断側面図
【図５】（イ）は補助パターンのクロス組みプリプレグの強化繊維のクロス組み状態を示す拡大断面図、（ロ）は（イ）の縦断面図、（ニ）は補助パターンを巻回する前の状態を示す斜視図
【図６】竿尻端部に補助パターンを施して小径側竿体を引き出し状態を示す縦断側面図
【符号の説明】
【００３７】
１                      第１スリットテープ
２Ａ                    第１メインパターン
２Ｂ                    第２メインパターン
３                      第２スリットテープ
４                      マンドレル
５                      口巻き補強パターン
６                      第３竿尻補強パターン
７                      第１竿尻補強パターン
８                      第２竿尻補強パターン
９                      突起
Ａ                      竿体
Ａａ                    内側層
Ａｂ                    中間層
Ａｃ                    外側層
θ1                     第１傾斜角
θ2                     第２傾斜角
θ3                     第３傾斜角
θ4                     第４傾斜角
ｃ                      強化繊維
Ｘ                      竿軸線
【図１】
2006320235.tif 000003
【図２】
2006320235.tif 000004
【図３】
2006320235.tif 000005
【図４】
2006320235.tif 000006
【図５】
2006320235.tif 000007
【図６】
2006320235.tif 000008